(57)【要約】  【課題】  電池交換が確実に実施されたことをガス遮断装置の現場およびセンター側で即確認することができ、ガス遮断装置の電池交換作業を迅速かつ確実に実施することができること目的とする。  【解決手段】  電池交換がなされたことを検知し電池交換完了信号を出力する電池交換検出部１０９を設け、制御部１１０でこの電池交換検出部からの電池交換完了信号を受けたときに報知部１０５で報知し、通信部１０６でセンター等に通知することにより電池交換作業が現場およびセンター側で迅速に確認できる。【選択図】  図１
2005055105.tif 000002
【特許請求の範囲】
【請求項１】
通過ガス流量に対応した流量信号を出力する流量センサと、前記流量センサ信号から通過流量を測定しガス流量値を出力する流量計測部と、ガス通路の開閉を行う遮断弁と、前記遮断弁の開閉駆動をする弁駆動部と、外部との通信を行う通信部と、外部に表示を行う報知部と、装置の回路電源としての電池と、前記電池交換を指示する指示信号を出力する電池交換指示部と、電池交換がなされたことを検知し電池交換完了信号を出力する電池交換検出部と、前記流量計測部からのガス流量値をもとに内部に保存している積算値の積算を行う一方流量計測部からのガス流量値をもとに内部に保存している保安データと比較してガス流量値が異常な場合に前記弁駆動部を駆動して前記遮断弁を動作させガス通路を閉じるとともに、前記電池交換検出部からの電池交換完了信号を受けた場合に前記報知部に報知または前記通信部により外部へ報知する制御部とを備えたガス遮断装置。
【請求項２】
電池交換時に引き継ぐ必要のある遮断に必要な内部の保安データや電池交換時の内部の積算値データを保持する不揮発性の内部データ保持部を設け、制御部は、電池交換検出部からの指示信号を受けたときに前記不揮発性の内部データ保持部に保安データと積算値データを保存し電池交換検出部からの電池交換完了信号を受けた場合前記不揮発性の内部データ保持部から保安データと積算値データを内部に取り込んだ後に報知部に報知または通信部により外部へ報知する請求項１に記載のガス遮断装置。
【請求項３】
初期カウント値に経過時間積算していく経過時間カウント部と、経過時間カウント部の経過時間データを保持する不揮発性の内部データ保持部を設け、制御部は、電池交換検出部からの指示信号を受けたときに前記不揮発性の内部データ保持部に前記経過時間カウント部の経過時間データを保持し電池交換検出部からの電池交換完了信号を受けた場合前記不揮発性の内部データ保持部からの経過時間データを前記経過時間カウント部の初期カウント値として転送した後に報知部に報知または通信部により外部へ報知するとともに前記経過時間カウント部のカウント値が所定値以上になった場合に報知部に報知または通信部により外部へ報知する機能を追加した請求項１に記載のガス遮断装置。
【請求項４】
電池の電圧をチェックし、所定値以下の場合電池電圧低下信号を出力する電池電圧低下検出部を設け、不揮発性の内部データ保持部への保持タイミングを前記電池電圧低下検出部からの電池電圧低下信号があった時とした請求項１または２に記載のガス遮断装置。
【請求項５】
請求項１〜３のいずれか１項に記載のガス遮断装置の機能の全てもしくは一部をコンピュータに実現させるためのプログラム。
【発明の詳細な説明】
【技術分野】
【０００１】
本発明は、ガスの事故を未然に防ぐガス遮断装置に関するものである。
【背景技術】
【０００２】
従来、この種のガス遮断装置は電池交換が容易に行うことができるようにし、第３者により電池の取り外しがあった場合遮断するようにしている（例えば、特開文献１参照）。
【０００３】
図９において、９０１は通過ガス流量に対応した流量信号を出力する流量センサ、９０２は流量センサ９０１の流量信号から通過流量を測定してガス流量値を出力する流量計測部、９０３はガス通路の開閉を行う遮断弁、９０４は遮断弁９０３の開閉駆動をする弁駆動部、９０５はＬＥＤとＬＣＤで構成された報知部、９０６はセンター等と通信を行う通信部、９０７は電池ボックスカバーの着脱をマグネットとリードスイッチで検出する電池交換指示部、９０８はガス遮断装置の電源としての電池、９０９はマイクロコンピュータで構成された制御部である。制御部９０９は流量計測部９０２からのガス流量値をもとに内部に保存している積算値を積算する一方、流量計測部９０２からのガス流量値をもとに内部に保持している保安データと比較しガス流量値がガス漏れ等の異常値であると判断した場合に弁駆動部９０４を駆動して遮断弁９０３を動作させガス通路を閉じガスの安全を確保し、その内容を報知部９０５で報知し、通信部９０６でセンター等に遠隔通知している。また、制御部９０９は電池交換指示部から指示信号として着脱状態が検出されたときに弁駆動部９０４を駆動して遮断弁９０３を動作させガス通路を閉じガスの安全を確保し、その内容を報知部９０５で報知し、通信部９０６でセンター等に遠隔通知している。
【特許文献１】特開２００２−７１４１９号公報（第４−５頁、第１図）
【発明の開示】
【発明が解決しようとする課題】
【０００４】
しかしながら、前記従来のガス遮断装置では、ガス遮断装置の設置場所での電池交換が確実に実施されて電池交換以降に内部データ等を含めて安全装置としての機能を果たすかどうかがすぐに分からない。すなわち、電池交換が確実に実施されないとガス通路が遮断されたままになっているがお客様からガスが使用できないという電話等がない限り電池交換が確実に実施されたということが分からなかった。
【０００５】
本発明は、前記従来の課題を解決するもので、電池交換が確実に実施されたことをガス遮断装置の現場およびセンター側で即確認することができ、ガス遮断装置の電池交換作業を迅速かつ確実に実施することができること目的としている。
【課題を解決するための手段】
【０００６】
前記従来の課題を解決するために、本発明のガス遮断装置は、電池交換がなされたことを検知し電池交換完了信号を出力する電池交換検出部を設け、制御部でこの電池交換検出部からの電池交換完了信号を受けたときに報知部としてＬＥＤやＬＣＤ表示で報知するとともに、通信部によりセンター等に確実に実施されたことを報知する。これによりガス遮断装置が設置されている現場での電池交換作業者が確実に電池交換ができたことを確認できる。またセンター側でも電池交換が確実に実施されたことを管理することができる。また、確実に実施された報知がない場合には再度電池交換作業を実施するとか、ガス遮断装置の取り換え等迅速な対応をとることができる。
【発明の効果】
【０００７】
以上のように、本発明によれば、ガス遮断装置の電池交換が確実に実施されたことをガス遮断装置が設置されいる現場およびセンター装置側で即確認することができ、ガス遮断装置の電池交換作業を迅速かつ確実に実施することができる。
【発明を実施するための最良の形態】
【０００８】
請求項１に記載の発明は、電池交換指示部からの指示信号があったときに不揮発メモリの所定のアドレスに１を書き込み、実際に電池が交換され制御部（ＣＰＵ）が動作を開始したときにこの不揮発メモリの所定のアドレスを読み出し１が書きこまれている場合に電池交換完了信号とする不揮発メモリで構成された電池交換検出部を備え、制御部でこの電池交換完了信号があった時に報知部に報知するか、または通信部によりセンター等に報知することにより電池交換が確実に実施されたことを現場およびセンター側で確認することができる。
【０００９】
請求項２に記載の発明は、電池交換指示部からの指示信号があったときに不揮発メモリで構成された内部データ保持部に、電池交換時に引き継ぐ必要のある遮断に必要な内部の保安データ（例えばガス遮断装置が設定されている家庭のガス器具に応じた流量遮断判定レベル等）や内部の積算値を書き込み、実際に電池が交換され制御部（ＣＰＵ）が動作を開始したときにこの不揮発メモリの保安データ、積算値データを読み出したのち報知部に報知するか、または通信部により報知することにより電池交換が確実に実施されたことを現場およびセンター側で確認することができる。これにより、電池交換時に一旦電圧がなくなるために制御部のデータが消滅するが、再度保安データの設定や積算値データの設定作業が現場では必要なくなり、確実に電池交換前のデータが設定されることになる。
【００１０】
請求項３に記載の発明は、リアルタイムクロックで構成された経過時間カウンタ部を設け、電池交換指示部からの指示信号があったときに不揮発メモリにリアルタイムクロックの経過時間データを書き込み、電池が交換され制御部（ＣＰＵ）が動作を開始したときにこの不揮発メモリの経過時間カウンタを読み出しリアルタイムクロックに再設定した後報知部に報知するか、または通信部により報知することにより電池交換が確実に実施されたことを現場およびセンター側で確認することができる。また、このリアルタイムクロックの経過時間が検定満了期間になった時に報知部に報知するか、または通信部により報知するが、電池交換した場合でも確実に検定満了期間等になったときに報知することができる。
【００１１】
請求項４に記載の発明は、電池の電圧をチェックし所定値以下の場合電池電圧低下信号を出力する電池電圧低下検出部を設け、請求項２の不揮発メモリへの保安データ、積算値データの書き込みや請求項３の不揮発メモリへのリアルタイムクロックの経過時間データ書き込みをこの電池電圧低下検出部からの電池電圧低下信号を受けたときに実施することにより、電池寿命末期時にデータ量の多い保安データ、積算値データ、リアルタイムクロックの経過時間データの不揮発メモリへの書き込みが確実に実施されることになる。
【００１２】
請求項５に記載の発明は、請求項１〜３のいずれか１項記載のガス遮断装置の手順の全てもしくは一部をコンピュータに実行させるためのプログラムである。そしてプログラムであるので汎用コンピュータやサーバーを用いて本発明のガス遮断装置の一部あるいは全てを容易に実現することができる。また記録媒体に記録したり通信回線を用いてプログラムを配信したりすることでプログラムの配布やインストール作業が簡単にできる。
【００１３】
以下、本発明の実施の形態について図１から図８を用いて説明する。
【実施例】
【００１４】
（実施例１）
図１は本発明の第1の実施例におけるガス遮断装置のブロック図を示すものである。図１において１０１は通過ガス流量に対応した流量信号を出力する流量センサ、１０２は流量センサ１０１の流量信号から通過ガス流量を測定してガス流量値を出力する流量測定部、１０３はガス通路の開閉を行う遮断弁、１０４は遮断弁１０３の開閉駆動をする弁駆動部、１０５はＬＥＤとＬＣＤで構成された報知部、１０６はセンター等と通信を行う通信部、１０７は電池ボックスカバーの着脱をマグネットとリードスイッチで検出する電池交換指示部、１０８はガス遮断装置の電源として電池、１０９は不揮発メモリの所定のアドレスに１が書き込まれている場合に電池交換完了信号とする不揮発メモリで構成された電池交換検出部、１１０はマイクロコンピュータで構成された制御部である。制御部１１０は流量計測部１０２からのガス流量値をもとに内部に保存している積算値を積算する一方、流量計測部１０２からのガス流量値をもとに内部に保持している保安データと比較してガス漏れ等の異常値であると判断した場合に弁駆動部１０４を駆動して遮断弁１０３を動作させガス通路を閉じてガスの安全を確保し、その内容を報知部１０５で報知し、通信部１０６でセンター等に遠隔通知している。
【００１５】
また、制御部１１０は電池交換指示部１０７からの指示信号があった場合に電池交換検出部を構成する不揮発メモリの所定のアドレスに１を書き込み、電池が交換されて制御部１１０が動作を開始したときに電池交換検出部を構成する不揮発メモリの所定のアドレスを読み出し１が書き込まれている場合に電池交換完了信号があったと判断し、その結果を報知部１０５で報知し、通信部１０６でセンター等に遠隔通知している。電池を交換した後制御部１１０が動作したことを電池交換検出部１０９の電池交換完了信号で判断し現場の作業者に電池交換が確実に実施されたことを報知部１０５で報知し、また通信部１０６でセンター等に遠隔通知するためセンター側でも確認することができる。
【００１６】
上述した制御についてマイクロコンピュータのプログラム動作による演算や判定機能を用いれば容易に実現できるものである。図２に制御部１１０が起動スタートしてから電池交換完了信号をうけて報知するプログラムフローチャートを示す。Ｓ２０１で電池交換検出部１０９の不揮発メモリの所定アドレスに１が書き込まれているか判断する。最初は所定のアドレスに１が書き込まれていないのでＳ２０２に移る。Ｓ２０２で電池交換指示部１０７のリードスイッチの入力を確認し、Ｓ２０３で指示信号があるかないかを判断し、指示信号がない場合にはＳ２０２に移る。指示信号がある場合にはＳ２０４で電池交換検出部１０９の不揮発メモリの所定アドレスに１を書き込む。再度電池が交換された場合にＳ２０１で電池交換検出部１０９の不揮発メモリの所定アドレスに１が書き込まれているかを判断するが、今度は１が書き込まれているのでＳ２０５に移る。Ｓ２０５では報知部１０５で報知し、通信部１０６でセンター等へ報知する。
【００１７】
（実施例２）
図３は本発明の第２の実施例におけるガス遮断装置のブロック図を示すものである。図３において３０１は通過ガス流量に対応した流量信号を出力する流量センサ、３０２は流量センサ３０１の流量信号から通過ガス流量を測定してガス流量値を出力する流量測定部、３０３はガス通路の開閉を行う遮断弁、３０４は遮断弁３０３の開閉駆動をする弁駆動部、３０５はＬＥＤとＬＣＤで構成された報知部、３０６はセンター等と通信を行う通信部、３０７は電池ボックスカバーの着脱をマグネットとリードスイッチで検出する電池交換指示部、３０８はガス遮断装置の電源として電池、３０９は不揮発メモリの所定のアドレスに１が書き込まれている場合に電池交換完了信号とする不揮発メモリで構成された電池交換検出部、３１０は電池交換時に引き継ぐ必要のある遮断に必要な内部の保安データ（例えばガス遮断装置が設置されいる家庭のガス器具に応じた流量遮断判定レベル等）や内部の積算値を保持する不揮発メモリで構成された内部データ保持部、３１１はマイクロコンピュータで構成された制御部である。制御部３１１は流量計測部３０２からのガス流量値をもとに内部に保存している積算値を積算する一方、流量計測部３０２からのガス流量値をもとに内部に保持している保安データと比較してガス漏れ等の異常値であると判断した場合に弁駆動部３０４を駆動して遮断弁３０３を動作させガス通路を閉じてガスの安全を確保し、その内容を報知部３０５で報知し、通信部３０６でセンター等に遠隔通知している。
【００１８】
また、制御部３１１は電池交換指示部３０７からの指示信号があった場合に電池交換検出部を構成する不揮発メモリの所定のアドレスに１を書き込みと同時に内部データ保持部３１０に保安データと積算値を書き込み、電池が交換されて制御部３１１が動作を開始したときに電池交換検出部を構成する不揮発メモリの所定のアドレスを読み出し１が書き込まれている場合に電池交換完了信号があったと判断し、内部データ保持部３１０から保安データと積算値を制御部３１１に保存し、その結果を報知部３０５で報知し、通信部３０６でセンター等に遠隔通知している。電池を交換した後制御部３１１が動作したことを電池交換検出部３０９の電池交換完了信号で判断し、内部データ保持部３１０から保安データと積算値が再度制御部３１１に設定されるために、現場の作業者に電池交換が確実に実施されたことと積算や保安機能が働くために必要な内部データが再度設定されたことを報知部３０５で報知し、また通信部３０６でセンター等に遠隔通知するためセンター側でも確認することができる。
【００１９】
上述した制御についてマイクロコンピュータのプログラム動作による演算や判定機能を用いれば容易に実現できるものである。図４に制御部３１１が起動スタートしてから電池交換完了信号をうけて報知するプログラムフローチャートを示す。制御部３１１が起動スタートしてからのプログラムフローを示す。Ｓ４０１で電池交換検出部３０９の不揮発メモリの所定アドレスに１が書き込まれているか判断する。最初は所定のアドレスに１が書き込まれていないのでＳ４０２に移る。Ｓ４０２で電池交換指示部３０７のリードスイッチの入力を確認し、Ｓ４０３で指示信号があるかないかを判断し、指示信号がない場合にはＳ４０２に移る。指示信号がある場合にはＳ４０４で電池交換検出部３０９の不揮発メモリの所定アドレスに１を書き込みＳ４０５に移る。Ｓ４０５で内部データ保持部３１０に保安データ、積算値データを書き込む。再度電池が交換された場合にＳ４０１で電池交換検出部３０９の不揮発メモリの所定アドレスに１が書き込まれているかを判断するが、今度は１が書き込まれているのでＳ４０６に移る。Ｓ４０６で内部データ保持部３１０の保安データ、積算値データを呼び込みＳ４０７に移る。Ｓ４０７では報知部３０５で報知し、通信部３０６でセンター等へ報知する。
【００２０】
（実施例３）
図５は本発明の第３の実施例におけるガス遮断装置のブロック図を示すものである。図５において５０１は通過ガス流量に対応した流量信号を出力する流量センサ、５０２は流量センサ５０１の流量信号から通過ガス流量を測定してガス流量値を出力する流量測定部、５０３はガス通路の買い開閉を行う遮断弁、５０４は遮断弁５０３の開閉駆動をする弁駆動部、５０５はＬＥＤとＬＣＤで構成された報知部、５０６はセンター等と通信を行う通信部、５０７は電池ボックスカバーの着脱をマグネットとリードスイッチで検出する電池交換指示部、５０８はガス遮断装置の電源として電池、５０９は不揮発メモリの所定のアドレスに１が書き込まれている場合に電池交換完了信号とする不揮発メモリで構成された電池交換検出部、５１０はリアルタイムクロックで構成された経過時間カウンタ、５１１は経過時間データを保持する不揮発メモリで構成された内部データ保持部、５１２はマイクロコンピュータで構成された制御部である。制御部５１２は流量計測部５０２からのガス流量値をもとに内部に保存している積算値を積算する一方、流量計測部５０２からのガス流量値をもとに内部に保持している保安データと比較してガス漏れ等の異常値であると判断した場合に弁駆動部５０４を駆動して遮断弁５０３を動作させガス通路を閉じてガスの安全を確保し、その内容を報知部５０５で報知し、通信部５０６でセンター等に遠隔通知している。また、制御部５１２は電池交換指示部５０７からの指示信号があった場合に電池交換検出部を構成する不揮発メモリの所定のアドレスに１を書き込むと同時に経過時間カウンタ５１０の経過時間データを内部データ保持部５１１に書き込み、電池が交換されて制御部５１２が動作を開始したときに電池交換検出部５０７を構成する不揮発メモリの所定のアドレスを読み出し１が書き込まれている場合に電池交換完了信号があったと判断し内部データ保持部５１１の経過時間データを読み出し経過時間カウンタ５１０に設定し、内部データ保持部５１１のその結果を報知部５０５で報知し、通信部５０６でセンター等に遠隔通知している。
【００２１】
また、制御部５１２は経過時間カウンタ５１０が検定満了期間以上になった場合には、その結果を報知部５０５で報知し、通信部５０６でセンター等に遠隔通知している。電池を交換した後制御部１１０が動作したことを電池交換検出部１０９の電池交換完了信号で判断し現場の作業者に電池交換が確実に実施されたことと検定満了のための経過時間データが正しく引き継がれたことを報知部５０５で報知し、また通信部５０６でセンター等に遠隔通知するためセンター側でも確認することができる。
【００２２】
上述した制御についてマイクロコンピュータのプログラム動作による演算や判定機能を用いれば容易に実現できるものである。図６に制御部５１２が起動スタートしてから電池交換完了信号をうけて報知するプログラムフローチャートを示す。起動スタートしてからのプログラムフローを示す。Ｓ６０１で電池交換検出部５０９の不揮発メモリの所定アドレスに１が書き込まれているか判断する。最初は所定のアドレスに１が書き込まれていないのでＳ６０２に移る。Ｓ６０２で電池交換指示部５０７のリードスイッチの入力を確認し、Ｓ６０３で指示信号があるかないかを判断し、指示信号がない場合にはＳ６０４に移る。Ｓ６０４では経過時間カウンタ５１０であるリアルタイムクロックの経過時間データが所定値（検定満了期間）以上かどうか判断する。所定値（検定満了期間）以上であればＳ６０５に移る。Ｓ６０５で検定満了になったことを報知部５０５で報知し、また通信部５０６でセンター等に遠隔通知する。Ｓ６０３で指示信号がある場合にはＳ６０６に移る。６０６で電池交換検出部５０９の不揮発メモリの所定アドレスに１を書き込みＳ６０７に移る。Ｓ６０７で経過時間カウンタ５１０の経過時間データを読み出し内部データ保持部５１１に書き込む。再度電池が交換された場合にＳ６０１で電池交換検出部５０９の不揮発メモリの所定アドレスに１が書き込まれているかを判断するが、今度は１が書き込まれているのでＳ６０８に移る。Ｓ６０８では内部データ保持部５１１の経過時間データを読み出し経過時間カウンタ５１０に書き込みＳ６０９に移る。Ｓ６０６では報知部５０５で報知し、通信部５０６でセンター等へ報知する。
【００２３】
（実施例４）
図７は本発明の第４の実施例におけるガス遮断装置のブロック図を示すものである。図７において７０１は通過ガス流量に対応した流量信号を出力する流量センサ、７０２は流量センサ７０１の流量信号から通過ガス流量を測定してガス流量値を出力する流量測定部、７０３はガス通路の開閉を行う遮断弁、７０４は遮断弁７０３の開閉駆動をする弁駆動部、７０５はＬＥＤとＬＣＤで構成された報知部、７０６はセンター等と通信を行う通信部、７０７は電池ボックスカバーの着脱をマグネットとリードスイッチで検出する電池交換指示部、７０８はガス遮断装置の電源として電池、７０９は不揮発メモリの所定のアドレスに１が書き込まれている場合に電池交換完了信号とする不揮発メモリで構成された電池交換検出部、７１０は電池交換時に引き継ぐ必要のある遮断に必要な内部の保安データ（例えばガス遮断装置が設置されいる家庭のガス器具に応じた流量遮断判定レベル等）や内部の積算値を保持する不揮発メモリで構成された内部データ保持部、７１１は電池７０８の電池電圧をチェックするための抵抗とトランジスタ、電圧検出ＩＣで構成され電池チェックを行うときにトランジスタをオンして電圧検出ＩＣで電圧を測定し電圧が低下している場合には電池電圧低下信号を出力する電池電圧低下検出部、７１２はマイクロコンピュータで構成された制御部である。制御部７１２は流量計測部７０２からのガス流量値をもとに内部に保存している積算値を積算する一方、流量計測部７０２からのガス流量値をもとに内部に保持している保安データと比較してガス漏れ等の異常値であると判断した場合に弁駆動部７０４を駆動して遮断弁７０３を動作させガス通路を閉じてガスの安全を確保し、その内容を報知部７０５で報知し、通信部７０６でセンター等に遠隔通知している。また、制御部７１２は電池電圧低下検出部からの電池電圧低下信号があった場合に内部データ保持部７１０に保安データと積算値を書き込み、電池交換指示部７０７からの指示信号があった場合に電池交換検出部を構成する不揮発メモリの所定のアドレスに１を書き込み、電池が交換されて制御部３１１が動作を開始したときに電池交換検出部を構成する不揮発メモリの所定のアドレスを読み出し１が書き込まれている場合に電池交換完了信号があったと判断し、内部データ保持部７１０から保安データと積算値を制御部３１１に保存し、その結果を報知部７０５で報知し、通信部７０６でセンター等に遠隔通知している。電池を交換した後制御部７１２が動作したことを電池交換検出部７０９の電池交換完了信号で判断し、内部データ保持部７１０から保安データと積算値が再度制御部７１２に設定されるために、現場の作業者に電池交換が確実に実施されたことと積算や保安機能が働くために必要な内部データが再度設定されたことを報知部７０５で報知し、また通信部７０６でセンター等に遠隔通知するためセンター側でも確認することができる。
【００２４】
また、通常電池７０８の交換が必要な場合は電池電圧低下検出部７１１からの電池電圧低下信号があってから取り替えるために電池７０８の交換作業等が遅れた場合に電池７０８の電圧がさらに低下して内部データ保持部７１０に駆動できなくなる前に内部データ保持部７１０に保安データ、積算値データを書き込むことができる。
【００２５】
上述した制御についてマイクロコンピュータのプログラム動作による演算や判定機能を用いれば容易に実現できるものである。図８に制御部７１２が起動スタートしてから電池交換完了信号をうけて報知するプログラムフローチャートを示す。Ｓ８０１で電池交換検出部７０９の不揮発メモリの所定アドレスに１が書き込まれているか判断する。最初は所定のアドレスに１が書き込まれていないのでＳ８０２に移る。Ｓ８０２で電池交換指示部８０７のリードスイッチの入力を確認し、Ｓ８０３で指示信号があるかないかを判断し、指示信号がない場合にはＳ８０４に移る。Ｓ８０４で電池電圧低下検出部７１１の電池電圧低下信号を入力し、Ｓ８０５で電池電圧低下信号があるかないかを判断する。電池電圧低下信号がない場合はＳ８０２に移る。電池電圧低下信号がある場合にはＳ８０６で内部データ保持部７１０に保安データと積算値データを書き込みＳ８０２に移る。Ｓ８０３で指示信号がある場合にはＳ８０７で電池交換検出部７０９の不揮発メモリの所定アドレスに１を書き込みＳ８０２に移る。電池が交換された場合にＳ８０１で電池交換検出部７０９の不揮発メモリの所定アドレスに１が書き込まれているかを判断するが、今度は１が書き込まれているのでＳ８０８に移る。Ｓ８０８で内部データ保持部３１０の保安データ、積算値データを呼び込みＳ８０９に移る。Ｓ８０９では報知部７０５で報知し、通信部７０６でセンター等へ報知する。
【図面の簡単な説明】
【００２６】
【図１】本発明の実施例１におけるガス遮断装置の機能ブロック図
【図２】本発明の実施例１におけるガス遮断装置のプログラムフローチャート
【図３】本発明の実施例２におけるガス遮断装置の機能ブロック図
【図４】本発明の実施例２におけるガス遮断装置のプログラムフローチャート
【図５】本発明の実施例３におけるガス遮断装置の機能ブロック図
【図６】本発明の実施例３におけるガス遮断装置のプログラムフローチャート
【図７】本発明の実施例３におけるガス遮断装置の機能ブロック図
【図８】本発明の実施例３におけるガス遮断装置のプログラムフローチャート
【図９】従来のガス遮断装置の機能ブロック図
【符号の説明】
【００２７】
１０１  流量センサ
１０２  流量計測部
１０３  遮断弁
１０４  弁駆動部
１０５  報知部
１０６  通信部
１０７  電池交換指示部
１０８  電池
１０９  電池交換検出部
１１０  制御部
【図１】
2005055105.tif 000003
【図２】
2005055105.tif 000004
【図３】
2005055105.tif 000005
【図４】
2005055105.tif 000006
【図５】
2005055105.tif 000007
【図６】
2005055105.tif 000008
【図７】
2005055105.tif 000009
【図８】
2005055105.tif 000010
【図９】
2005055105.tif 000011